(57)【要約】      （修正有）【課題】機械式ムーブメントを備える腕時計用のアナログ情報表示システムを提供する。【解決手段】本システムは、複数の開口部１１を備える表示ダイヤル３と、図形表示を支持する可動表示部品であって、支持される図形表示が複数の開口部１１に表され、情報を生成するように配置される可動表示部品と、指示部材５であって、腕時計の装着者に通知されるべき、開口部１１に生成される情報を指定するように構成される指示部材５とを含む。【選択図】図２
2020085895.tif 000002
【特許請求の範囲】
【請求項１】
機械式ムーブメントを備える腕時計（１００）用のアナログ情報表示システム（１）であって、前記システム（１）は、
−複数の開口部（１１）を備える表示ダイヤル（３）と、
−図形表示を支持する可動表示部品（４）であって、支持される前記図形表示が前記複数の開口部（１１）に表され、前記情報を生成するように配置される可動表示部品（４）と、
−指示部材（５）であって、前記腕時計（１００）の装着者に通知されるべき、開口部（１１）に生成される情報を指定するように構成される指示部材（５）と、
を含む、システム（１）。
【請求項２】
請求項１に記載のシステム（１）であって、少なくとも１つの開口部（１１）は、前記対応する開口部（１１）に示される前記図形表示上に配置される情報形成素子（１４）を備えることを特徴とする、システム（１）。
【請求項３】
請求項１または２に記載のシステム（１）であって、前記情報形成素子（１４）は平坦な部品であり、マイクロオリフィス、溝、スロットまたはこれらの種類の開口の少なくとも２つの組み合わせなどの複数の開口のネットワークを備えることを特徴とする、システム（１）。
【請求項４】
請求項２または３に記載のシステム（１）であって、前記情報形成素子（１４）は固定部品であることを特徴とする、システム（１）。
【請求項５】
請求項２または３に記載のシステム（１）であって、前記情報形成素子（１４）は、前記ダイヤル（３）が前記開口部（１１）を備える領域において、前記ダイヤル（３）の上面（１２ａ）または下面（１２ｂ）と１つの部品として形成され、前記開口部（１１）によって形成される貫通穴の壁とも１つの部品として形成されることを特徴とする、システム（１）。
【請求項６】
請求項１から５のいずれか一項に記載のシステム（１）であって、図形表示を支持する前記可動表示部品（４）を駆動するための少なくとも１つの駆動素子（８）を備えることを特徴とする、システム（１）。
【請求項７】
請求項１から６のいずれか一項に記載のシステム（１）であって、情報を支持する前記可動表示部品（４）は、円板または輪などの円形の形状の平坦な部品であることを特徴とする、システム（１）。
【請求項８】
請求項１から７のいずれか一項に記載のシステム（１）であって、図形表示を支持する前記可動表示部品（４）と前記表示ダイヤル（３）は同軸であることを特徴とする、システム（１）。
【請求項９】
請求項１から８のいずれか一項に記載のシステム（１）であって、前記可動部品（４）と前記ダイヤル（３）との相対的位置を特定するように構成される校正素子（９）を備えることを特徴とする、システム（１）。
【請求項１０】
請求項１から９のいずれか一項に記載のシステム（１）を備える腕時計（１００）。
【請求項１１】
機械式スマートウォッチ（１００）であることを特徴とする、請求項１０に記載の腕時計（１００）。
【請求項１２】
請求項１から９のいずれか一項に記載の前記システム（１）によって実装される、少なくとも１つの情報を前記腕時計（１００）の表示ダイヤル（３）上で見る方法であって、前記方法は、前記ダイヤル（３）の開口部（１１）に情報を提示するステップ（２１）を含み、前記ステップ（２１）は、指示部材（５）を前記開口部（１１）に向けて配置し、図形表示または図形表示の一部を前記開口部（１１）の貫通穴に対面して配置することの両方を含むサブステップ（２２）を含む、方法。
【請求項１３】
コンピュータプログラムであって、前記コンピュータプログラムが腕時計（１００）の処理装置によって実行されるとき、請求項１２に記載の前記方法の前記ステップ（２０から２３）を実行するためのプログラムコード命令を備える、コンピュータプログラム。
【発明の詳細な説明】
【技術分野】
【０００１】
本発明は腕時計用アナログ情報表示システムに関し、さらに、少なくとも１つの情報を腕時計の表示ダイヤル上で見る方法に関する。
【０００２】
本発明はさらに、コンピュータシステムに加えて前述のシステムを備える腕時計に関する。
【背景技術】
【０００３】
機械式腕時計、具体的には腕に着ける腕時計の既存のアナログ情報表示システムはすべて、可動表示部品上で利用可能な空間が限られているためほとんど開口部を設けず、腕時計を装着する個人に情報を提示するために一般に１または２つの開口部を用いるのみである。可動部分上で利用可能な空間が限られている結果として、腕時計の情報表示能力は大きく制限されるため、特にスマートウォッチが到来した現在では、腕時計が表示可能であるべき情報の多様性に適していない。
【０００４】
特に従来技術の欠点を克服する代替的な解決法を発見する必要性があることが理解されよう。
【発明の概要】
【０００５】
したがって、本発明の目的の一つは、実装が容易でありながら、好ましくは日付、時間または月相とは異なる様々な広範な情報を明確に表示可能である、アナログ情報表示システムを提示することである。
【０００６】
本発明の別の目的は、受動的警報／通知が表示可能であり、その表示が電力をほとんど、またはまったく消費しないアナログ情報表示システムを提供することである。
【０００７】
この目的のため、本発明は機械式ムーブメントを備える腕時計用のアナログ情報表示システムに関する。本システムは、
−複数の開口部を備える表示ダイヤルと、
−図形表示を支持する可動表示部品であって、支持される図形表示が複数の開口部に表され、情報を生成するように配置される可動表示部品と、
−指示部材であって、腕時計の装着者に通知されるべき、開口部に生成される情報を指定するように構成される指示部材と、
を含む。
【０００８】
別の実施形態では、
−少なくとも１つの開口部は、対応する開口部に示される図形表示上に配置される情報形成素子を備える。
−情報形成素子は平坦な部品であり、マイクロオリフィス、溝、スロットまたはこれらの種類の開口の少なくとも２つの組み合わせなどの複数の開口のネットワークを備える。
−情報形成素子は固定部品である。
−情報形成素子は、ダイヤルが開口部を備える領域において、ダイヤルの上面または下面と１つの部品として形成され、開口部によって形成される貫通穴の壁とも１つの部品として形成される。
−本システムは、図形表示を支持する可動表示部品を駆動するための少なくとも１つの駆動素子を備える。
−情報を支持する可動表示部品は、円板または輪などの円形の形状の平坦な部品である。
−図形表示を支持する可動表示部品と表示ダイヤルは同軸である。
−本システムは、可動部品とダイヤルとの相対的位置を特定するように構成される校正素子を備える。
本発明はさらに、このようなシステムを含む腕時計に関する。
【０００９】
有利には、腕時計は機械式スマートウォッチである。
【００１０】
本発明はさらに、本システムによって実装される、少なくとも１つの情報を腕時計の表示ダイヤル上で見る方法に関する。本方法は、ダイヤルの開口部に情報を提示するステップを含む。本ステップは指示部材を開口部に向けて配置し、図形表示または図形表示の一部を開口部の貫通穴に対面して配置することの両方を含むサブステップを含む。
【００１１】
本発明はさらに、コンピュータプログラムに関する。本コンピュータプログラムは、コンピュータプログラムが腕時計の処理装置によって実行されるとき、前述の方法のステップを実行するためのプログラムコード命令を備える。
【００１２】
その他の特定の特徴および有利点は以下の説明から明らかになるであろう。以下の説明は、添付図を参照して大まかな指針として提示され、いかなる意味でも限定的な指針として提示されるものではない。
【図面の簡単な説明】
【００１３】
【図１】本発明の一実施形態によるアナログ情報表示システムを備える腕時計の線図である。
【図２】本発明の一実施形態による腕時計のダイヤルの図である。
【図３】本発明の実施形態による情報形成素子を備える開口部の大縮尺図である。
【図４】本発明の実施形態による一式の多重要素の断面図であり、多重要素は、表示ダイヤルと、図形表示を支持する可動表示部品と、校正素子とを備える。
【図５】本発明の実施形態による、表示ダイヤル上で少なくとも１つの情報を見る方法に関するフローチャートを示す。
【発明を実施するための形態】
【００１４】
図１は腕時計１００を示す。腕時計１００は、少なくとも１つの通知を表示するアナログ表示システム１を備える。このようなシステム１は腕時計１００に含まれる。腕時計１００は、好ましくは、機械式ムーブメントを備える機械式スマートウォッチ１００である。本システム１は、より具体的には、非限定的および／または非包括的に以下を含む。
−ハードウェアおよびソフトウェアリソースを含む処理装置２であって、具体的には、記憶素子と協働する少なくとも１つのプロセッサと、
−第１のアナログ表示構成部品１０ａと、第２のデジタルおよび／またはアルファベットや数値表示構成部品１０ｂとを備えるハイブリッド表示ダイヤル３と、
−図形表示を支持する可動表示部品４と、
−針などの指示部材５であって、腕時計１００の装着者に通知されるべき、ダイヤル３の開口部１１に表示される情報を指定するように構成される指示部材５と、
−ラウドスピーカなどの音声インターフェース７と、
−光センサなどの校正素子９と、
−少なくとも１つの通知の表示を起動するための、押しボタン、回転ボタンまたは蝕知性水晶などの起動制御装置１０と、
−通信モジュール６と、
−可動部品４および指示部材５を駆動するための少なくとも１つの駆動素子８。
【００１５】
本システム１の処理装置２は、特に、音声インターフェース７、通信モジュール６、校正素子９、起動制御装置１０、駆動素子８に接続される。
【００１６】
本システム１において、通信モジュール６は、具体的には、ＳＩＭカード（「加入者識別モジュール」の頭文字）またはＷＬＡＮ無線ローカルエリアネットワークシステムを備えることによって、セルラネットワークシステムとの接続を確立可能である。また、通信モジュール６は、たとえば、ブルートゥース（Ｂｌｕｅｔｏｏｔｈ）などの通信技術を実装可能である。これらの条件下では、システム１、したがって腕時計１００は遠隔サーバ、コンピュータまたはスマートフォンともデータを交換可能である。
【００１７】
本システム１において、図２および図４で示される表示ダイヤル３は、上面１２ａと下面１２ｂとを備える。腕時計１００に配置されるとき、上面１２ａはダイヤル３の可視面であり、下面１２ｂは可動部品４に面するように配置される面である。ダイヤル３はさらに、第１の表示構成部品１０ａにおいて複数の開口部１１を備える。複数の開口部１１を通じて、情報が提示可能である。このような開口部１１はそれぞれ、円形または実質的に四辺形の形状であってもよい断面を有する。これらの開口部１１はダイヤル３に配分され、腕時計１００の装着者に情報を示し／通知するために、個別に指示部材５と協働する。この情報は、装着者に対する通知であってもよい。この通知は腕時計１００が実施する機能に関する警報であってもよい。たとえば通知は以下のような通知であってもよい。
−ｅメールアドレスに関する通知の場合は、開口部１１に提示される情報は受信したメッセージ数に対応していてもよく、図２では、１０のメッセージが受信されている。
−活動追跡装置に関する通知の場合は、情報は心拍数、または歩いた歩数などに対応していてもよい。
−腕時計１００がスマートフォンに接続されるとき、不在着信件数に関する通知。
−紫外線（ＵＶ）指数（紫外線の頭文字）に関する通知。
−その他の通知。
【００１８】
ダイヤル３は可動支持部品４に重なるように取り付けられる。可動支持部品４は、図形表示を備える面１３を含む。より具体的には、このような可動部品４は、指示される図形表示がダイヤル３の複数の開口部１１に表示され、情報が生成されるように配置される。この可動部品４はダイヤル３と同軸であり、円板または輪などの円形かつ平坦な部品である。
【００１９】
各開口部１１は、ダイヤル３の上面１２ａと下面１２ｂが互いに接続するように、開口部１１に長手方向に延在する貫通穴を備えることに留意されたい。
【００２０】
ダイヤル３において、少なくとも１つの開口部１１は、情報形成素子１４を備える。この情報形成素子１４は対応する開口部１１に示される図形表示上に配置される。より具体的には、このような情報形成素子１４は、開口部１１を備えるダイヤル３の領域において、ダイヤル３の上面１２ａまたは下面１２ｂと一つの部品として形成されてもよく、または開口部１１によって形成される貫通穴の壁とも一つの部品として形成されてもよい。代替的に、この情報形成素子１４は、開口部１１を備える上面１２ａまたは下面１２ｂの領域、または開口部１１によって形成される貫通穴に配置される固定部品であってもよい。この情報形成素子１４は平坦な部品であり、印またはパターンを形成する複数の開口のネットワーク／グリッドを備える。図３を参照すると、これらの開口は、たとえば、マイクロオリフィス、溝、スロットまたはこれらの種類の開口の少なくとも２つの組み合わせであってもよい。一例として、情報形成素子１４がマイクロオリフィスのネットワークを備えるとき、各マイクロオリフィスは以下を有していてもよい。
−正方形部分であって、各辺の長さが２００から９００μの範囲、好ましくは２６５μである正方形部分と、
−円形部分であって、直径が２００から１，０００μの範囲、好ましくは３７４μである円形部分。
【００２１】
情報形成素子１４によって、可動部品４上に含まれる図形表示から情報が生成できるようになる。この情報は前述のように、好ましくは通知である。開口部１１がこのような情報形成素子１４を備えるときは、情報は、腕時計１００の機能の率／割合、状態、値の間隔、パラメータもしくはその機能に関していてもよく、または腕時計１００の装着者の身体パラメータの測定にさえ関していてもよい。身体パラメータとは生理学的パラメータ（脈拍、血中酸素濃度、皮膚のインピーダンス、血圧、呼吸数、呼吸不整脈、皮膚温、発汗量、血中酸素濃度または血流）などである。
【００２２】
例示を目的として、本情報形成素子１４は、図３に示す、バッテリなどのパターンを一緒に形成する複数の開口を備えていてもよい。複数の開口は、腕時計１００の充電状態に関する情報を生成するための色のグラデーションなどの図形表示と協働してもよい。より具体的には、この充電状態が減少するにつれて、図形表示に関する色のグラデーションによってバッテリ型のパターンは色を変える。色のこの変化は可動部品４を少し回転させることによって発生する。
【００２３】
ここでは、情報形成素子１４が存在しない開口部１１に腕時計１００の充電に関する情報を生成するために、可動部品４はバッテリの複数の図形表示を備えなければならないことが理解されよう。各図形表示は異なる充電状態を例示する。したがって、このような状況において、情報形成素子１４を持たない開口部の構成は、可動部品４の面１３上に大きな空間を消費し／必要とし、可動部品が大きく回転することが必要となる。これによって、開口部１１で提示可能な情報の多様性が制限される。
【００２４】
別の例では、情報形成素子１４は、心臓などのパターンを一緒に形成する複数の開口を備えていてもよい。複数の開口は、心拍間に関する情報を生成するための色のグラデーションなどの図形表示と協働してもよい。より具体的には、装着者の心拍数の測定が行われる間隔に応じて、図形表示に関する色のグラデーションによって、色は変動する。色のこの変化は可動部品４を少し回転することから生じる。
【００２５】
情報形成素子１４が存在しない開口部１１に提示されることが意図される図形表示は、可動部品４の面１３の一部に画成されることに留意されたい。可動部品４の面１３の一部は、開口部１１の断面よりも表面積が小さい。反対に、情報形成素子１４を備える開口部１１に提示されることが意図される図形表示は、開口部１１の断面よりも表面積が大きい可動部品４の面１３の一部に画成される。
【００２６】
本システム１において、可動部品４および指示部材５は、モータなどの少なくとも１つの駆動素子８の作用によって始動される。駆動素子８は、ダイヤル３の１または複数の開口部１１に提示される情報に応じて処理装置２によって制御される。
【００２７】
処理装置２は少なくとも１つの駆動素子８および校正素子９に接続される。また、処理装置２は、開口部１１の図形表示を確実に正しく表示するために、ダイヤル３に対して円板を配置可能である。図４を参照すると、本システム１において、校正素子９が光センサの場合、可動部品４およびダイヤル３は両方とも、開口１５ａ、１５ｂを備える。開口１５ａ、１５ｂは、校正素子９が可視光を受光できるように、校正素子９と位置合わせされてもよい。具体的には、可動部品４が回転する間、開口１５ｂは校正素子９に対面して配置される可動部品４の領域内に延在する。開口１５ｂは、校正素子９を隠すためにこの領域で異なる長さとなる縮小部分を除いて、この領域全体を通じて画成される。この縮小部分によって、具体的には縮小部分間の違いの結果として、ダイヤル３に対する可動部品４の既知の位置が検出可能となる。
【００２８】
さらに、図４を参照すると、ダイヤル３、可動部品４および校正素子９は、腕時計ケース１００内部で重なるように取り付けられる。校正素子９が光センサの場合は、校正素子９によって紫外線指数が測定可能となることが説明されるべきである。紫外線指数は、校正素子９および開口１５ａ、１５ｂが位置合わせされるとき、ダイヤル３の開口部１１に提示される情報である。
【００２９】
腕時計１００のシステム１は、少なくとも１つの情報を図５に示す腕時計１００の表示ダイヤル３で見るための方法を実装可能である。
【００３０】
本方法は、起動制御装置１０を起動するステップ２０を含む。制御装置は１または複数の情報を提示する助けとなるように画成される。ステップ２０の間、制御装置の起動によって信号が生成される。この信号は処理装置２に送信される。
【００３１】
本方法は次に、ダイヤル３の開口部１１に情報を提示するステップ２１を提供する。本ステップ２１は、サブステップ２２を含む。サブステップ２２は、開口部１１に向かう指示部材５と、開口部１１の貫通穴に対面する図形表示または図形表示の一部の両方を配置する。そのため、処理装置２が起動制御装置１０の信号を受信するとすぐに、処理装置２は制御命令を生成して、指示部材５を開口部１１上、開口部１１内、開口部１１に向かって配置する。開口部１１は、駆動素子８を制御することによって情報を提示する。同時にまたはほぼ同時に、本方法は、可動部品４が回転するように駆動素子８をここでも制御することによって、開口部１１の貫通穴に対面する対応する図形表示または図形表示の一部を配置する。この制御命令は以下に基づいて処理装置２によって生成される。
−情報を特定すること。本情報の表示は起動制御装置１０から発信される信号の処理からが好ましく、たとえばこの情報は腕時計１００の充電状態でもよい。
−測定を実施し（たとえば腕時計１００の充電状態を測定する）、または遠隔サーバ、コンピュータまたはスマートフォンから発信される、特定された情報に関するデータを得る（たとえば、スマートフォンから不在着信の数を得る）こと。
−適応された開口部１１を選択し、特定された情報に応じて情報を提示すること。
−制御命令を画成して駆動素子８に適用し、指示部材５および可動部品４の位置ずれを制御すること。
【００３２】
さらに、本方法は、可動部品４の位置をダイヤル３に対して校正するステップ２３を含む。このステップ２３によって、本方法を実施中に開口部１１で得られる図形表示または図形表示の一部を最適に配置することができる。本ステップ２３中に、ダイヤル３および可動部品４の開口１５ａ、１５ｂは、校正素子９と位置合わせされる。校正素子９は本事例では光センサである。本構成において、光センサは可視光を受光し、信号を生成し、信号は次に処理装置２に送信される。したがって、信号を受信するとすぐに、処理装置２は、可動部品４のダイヤル３に対する位置を特定することができ、適切な場合には記憶素子に保管されている構成データを更新する。記憶素子は、本方法および本表示システム１の機能として、可動部品４とダイヤル３との相対的位置を備える。したがってこれらの開口１５ａ、１５ｂを光センサ９と位置合わせすることによって、可動部品４とダイヤル３との相対的位置が特定される基準点または指標が構成されることを理解されよう。
【００３３】
本発明はさらに、コンピュータシステムに関する。本コンピュータシステムが腕時計１００の処理装置によって実行されるとき、本コンピュータシステムは、本方法のステップ２０から２３を実行するためのプログラムコード命令を備える。
【符号の説明】
【００３４】
１      ：システム
２      ：処理装置
３      ：表示ダイヤル
４      ：可動部品
５      ：指示部材
６      ：通信モジュール
７      ：音声インターフェース
８      ：駆動素子
９      ：校正素子
１０    ：起動制御装置
１０ａ  ：表示構成部品
１０ｂ  ：表示構成部品
１１    ：開口部
１２ａ  ：上面
１２ｂ  ：下面
１３    ：面
１４    ：情報形成素子
１５ａ  ：開口
１５ｂ  ：開口
２０    ：ステップ
２１    ：ステップ
２２    ：サブステップ
２３    ：ステップ
１００  ：腕時計
【図１】
2020085895.tif 000003
【図２】
2020085895.tif 000004
【図３】
2020085895.tif 000005
【図４】
2020085895.tif 000006
【図５】
2020085895.tif 000007
【外国語明細書】
2020085895000001.pdf